(57)【要約】【課題】特にインディカ米等の長粒種に対応できる籾摺選別機を提供する。【解決手段】籾摺選別機(１)は、籾ホッパ(２)と籾摺機(７)とを上下に配置した籾摺部(１ａ)と、この籾摺部(１ａ)の後工程で籾を選別する風選部(１ｂ)と、この風選部(１ｂ)の後工程で玄米を選別する揺動選別部(１ｄ)とをこの順に左右横長に構成し、前記籾摺機(７)は、左右一対の籾摺ロール(７ａ，７ｂ)によって構成するとともに、左右外側の籾摺ロール(７ａ)を他側の籾摺ロール(７ｂ)より低くして籾投入線を機体内方に傾斜して配置し、この籾投入線に沿うように前記籾ホッパ(２)から籾を案内する傾斜板(４)を備えることにより、インディカ米等の長粒種を含め、籾の投入姿勢の安定化によって短粒種から長粒種まで幅広い適用を可能とするものである。【選択図】図１
2019042722.tif 000002
【特許請求の範囲】
【請求項１】
籾ホッパ(２)と籾摺機(７)を上下に配置した籾摺部(１ａ)と、この籾摺部(１ａ)の後工程で籾を選別する風選部(１ｂ)と、この風選部(１ｂ)の後工程で玄米を選別する揺動選別部(１ｄ)を、備え、
機体の左右一側に前記籾摺部(１ａ)を配置し、左右他側に前記揺動選別部(１ｄ)を配置し、前記籾摺部(１ａ)と前記揺動選別部(１ｄ)の間に前記風選部(１ｂ)を配置し、
前記籾摺機(７)は、左右一対の籾摺ロール(７ａ，７ｂ)によって構成するとともに、左右外側の籾摺ロール(７ａ)を他側の籾摺ロール(７ｂ)より低くして籾投入線を機体内方に傾斜して配置し、この籾投入線に沿うように前記籾ホッパ(２)から籾を案内する傾斜板(４)を備えることを特徴とする籾摺選別機。
【請求項２】
前記傾斜板(４)の上部を収容する供給用ボックス体(４ｕ)と、前記籾摺ロール(７ａ，７ｂ)を収容する籾摺ロール用ボックス体(７ｕ)をそれぞれ着脱自在に構成することを特徴とする請求項１記載の籾摺選別機。
【請求項３】
前記傾斜板(４)は、上部の第一傾斜板(４ａ)と下部の第二傾斜板(４ｂ)に分け、
前記第一傾斜板(４ａ)は傾斜姿勢を固定し、前記第二傾斜板(４ｂ)は上端部を支点(４ｃ)として傾斜姿勢を調節可能に構成し、
前記第一傾斜板(４ａ)を箱状の供給用ボックス体(４ｕ)内に設け、前記第二傾斜板(４ｂ)と前記籾摺機(７)を箱状の籾摺ロール用ボックス体(７ｕ)内に設けることを特徴とする請求項２記載の籾摺選別機。
【発明の詳細な説明】
【技術分野】
【０００１】
本発明は、一対の籾摺ロールによる籾摺機によって籾を脱ぷ選別処理する籾摺選別機に関するものである。
【背景技術】
【０００２】
特許文献１の脱ぷ装置は、供給タンク７の籾を繰り込みロールで繰り出し、供給樋１７及び案内シュート１８を経て斜め姿勢のゴムロールに供給する。案内シュートをゴムロールの位置に合わせて傾斜角度を調整することにより、籾摺り効率の向上が可能となる。
【０００３】
また、特許文献２の脱ぷ装置は、籾供給部本体２１からリードローラ２４で籾を繰出し、最終流下板３１でゴムロールに籾を供給する。最終流下板３１に対して移動自在の層厚調整弁３２で籾の層厚を調整することにより、籾摺り効率の向上が可能となる。
【０００４】
一方、特許文献３の籾摺選別機は、籾摺ロール７の間隙調節により、主としてジャポニカ米（短粒種）の籾摺選別について幅広い適用を可能とする。
【先行技術文献】
【特許文献】
【０００５】
【特許文献１】特開２００１−３４７１７２号公報
【特許文献２】特開２００８−１００１７２号公報
【特許文献３】特開２０１６−７５７９号公報
【発明の概要】
【発明が解決しようとする課題】
【０００６】
上記特許文献１および特許文献２の脱ぷ装置は、主としてインディカ米（長粒種）に用いられ、他方の特許文献３の籾摺選別機は、主としてジャポニカ米（短粒種）に用いられる。
【０００７】
本発明の目的は、特にインディカ米等の長粒種に対応できる籾摺選別機を提供することにある。
【課題を解決するための手段】
【０００８】
請求項１に係る発明は、籾ホッパ(２)と籾摺機(７)を上下に配置した籾摺部(１ａ)と、この籾摺部(１ａ)の後工程で籾を選別する風選部(１ｂ)と、この風選部(１ｂ)の後工程で玄米を選別する揺動選別部(１ｄ)を、備え、機体の左右一側に前記籾摺部(１ａ)を配置し、左右他側に前記揺動選別部(１ｄ)を配置し、前記籾摺部(１ａ)と前記揺動選別部(１ｄ)の間に前記風選部(１ｂ)を配置し、前記籾摺機(７)は、左右一対の籾摺ロール(７ａ，７ｂ)によって構成するとともに、左右外側の籾摺ロール(７ａ)を他側の籾摺ロール(７ｂ)より低くして籾投入線を機体内方に傾斜して配置し、この籾投入線に沿うように前記籾ホッパ(２)から籾を案内する傾斜板(４)を備えることを特徴とする。
【０００９】
請求項２に係る発明は、請求項１に係る発明において、前記傾斜板(４)の上部を収容する供給用ボックス体(４ｕ)と、前記籾摺ロール(７ａ，７ｂ)を収容する籾摺ロール用ボックス体(７ｕ)をそれぞれ着脱自在に構成することを特徴とする。
【００１０】
請求項３に係る発明は、請求項２に係る発明において、前記傾斜板(４)は、上部の第一傾斜板(４ａ)と下部の第二傾斜板(４ｂ)に分け、前記第一傾斜板(４ａ)は傾斜姿勢を固定し、前記第二傾斜板(４ｂ)は上端部を支点(４ｃ)として傾斜姿勢を調節可能に構成し、前記第一傾斜板(４ａ)を箱状の供給用ボックス体(４ｕ)内に設け、前記第二傾斜板(４ｂ)と前記籾摺機(７)を箱状の籾摺ロール用ボックス体(７ｕ)内に設けることを特徴とする。
【発明の効果】
【００１１】
請求項１に係る発明は、籾ホッパ(２)と籾摺機(７)を上下に配置した籾摺部(１ａ)と、この籾摺部(１ａ)の後工程で籾を選別する風選部(１ｂ)と、この風選部(１ｂ)の後工程で玄米を選別する揺動選別部(１ｄ)を、備え、左右一側に前記籾摺部(１ａ)を配置し、左右他側に前記揺動選別部(１ｄ)を配置し、前記籾摺部(１ａ)と前記揺動選別部(１ｄ)の間に前記風選部(１ｂ)を配置し、前記籾摺機(７)は、左右一対の籾摺ロール(７ａ，７ｂ)によって構成するとともに、左右外側の籾摺ロール(７ａ)を他側の籾摺ロール(７ｂ)より低くして籾投入線を機体内方に傾斜して配置し、この籾投入線に沿うように前記籾ホッパ(２)から籾を案内する傾斜板(４)を備えることで、特にインディカ米に適応できる籾摺選別機を提供することができる。
【００１２】
請求項２に係る発明は、請求項１に係る発明の効果に加え、供給用ボックス体(４ｕ)と籾摺ロール用ボックス体(７ｕ)が着脱自在であることから、メンテナンスを容易に実施することができる。
【００１３】
請求項３に係る発明は、請求項２に係る発明の効果に加え、供給用ボックス体(４ｕ)と籾摺ロール用ボックス体(７ｕ)との合理的なブロック組み立てにより、第一傾斜板(４ａ)と第二傾斜板(４ｂ)との連係構成が可能となる。
【図面の簡単な説明】
【００１４】
【図１】正面視による籾摺部の内部構成拡大図
【図２】ホッパ部の拡大図
【図３】第二傾斜板の調節機構の拡大図
【図４】掻込みロールの二面図（ａ）および第二傾斜板の三面図（ｂ）
【図５】操作盤見取図
【図６】籾摺選別機の一部破断外観正面図
【図７】籾摺選別機の内部構成図
【発明を実施するための形態】
【００１５】
本発明の籾摺選別機１は、籾摺選別機の一部破断を含む外観正面図を図６に示すように、横長構成の機体の左側端部の籾摺部１ａと、中央の風選部１ｂと、右側の揺動選別部１ｄおよび右側端部の玄米揚穀機１ｅの工程別機器によって構成される。
【００１６】
籾摺部１ａは、投入された籾と、風選部１ｂから籾摺側に還元された籾について、傾斜板４で姿勢を整えて籾摺り処理する籾摺設備を構成し、この籾摺設備を組込んで籾摺選別機１を構成することにより、インディカ米等の長粒種の籾摺りに際して、穀粒の割れを抑えることができ、籾摺り効率の確保を可能とするものである。
【００１７】
詳細には、籾摺部１ａは、正面視による内部構成拡大図を図１に示すように、投入籾を収容する籾ホッパ２と、この籾ホッパ２の外側に隣接して籾還元室３を設け、これら籾ホッパ２と籾還元室３から受けた籾を案内する傾斜板４と、この傾斜板４の下部の案内面に臨んで籾を送り出す掻込みロール５と、傾斜板４の下端から籾を受ける左右一対の籾摺ロール７ａ，７ｂによる籾摺機７と、その摺落米を風選部１ｂに送る摺落米移送棚８とを備える。
【００１８】
（籾ホッパ）
籾ホッパ２は、上に開いた籾投入口２ａと下に開いた籾出口２ｂとを備え、この籾出口２ｂに臨んで受台２ｃを設ける。この受台２ｃは、籾ホッパ２から受けた籾を傾斜板４に渡す。
【００１９】
（籾還元室）
籾還元室３は、風選部１ｂから籾を還元する揚穀機２７と連通するとともに、籾出口３ａを下に開き、この籾出口３ａに臨んで受台３ｂを設ける。
【００２０】
この受台３ｂは、ホッパ部の拡大図を図２に示すように、籾ホッパ２の受台２ｃの方向にスライド調節可能に延ばして揚穀機２７からの還元エアの一部を逃がすように構成する。
【００２１】
また、還元エアによって傾斜板４から浮き上がった粃を三番の出口から排出するために、ファンドウ１３に接続する流路１３ａを設け、または、粃を機体外に案内するガイド（不図示）と、機体外で連通する貯留ケース（不図示）を設けて粃を収容可能に構成する。
【００２２】
流路１３ａ等によって予め粃を取り除くことで、後工程の揺動選別部１ｄに流入する粃の量を少なくし、選別性能を向上することができ、取り除いた粃は飼料として用いることが可能となる。
【００２３】
籾還元室３の上部は、全開可能に蓋３ｃを設け、この蓋３ｃには、還元籾が流れ易いように案内板を設けることでメンテナンス性を確保することができる。
【００２４】
（傾斜板）
傾斜板４は、上半部と下半部とに分け、上半部を第一傾斜板４ａとして所定傾斜角度に構成し、下半部を第二傾斜板４ｂとして上半部の第一傾斜板４ａの下端を支点４ｃとし、調節部４ｄによって角度調節可能に構成する。
【００２５】
（第一傾斜板）
第一傾斜板４ａの側に層厚弁４ｖを設け、調節レバー（不図示）で調節可能に構成することで、長粒種の脱ぷ性向上と砕米防止が可能となる。
【００２６】
（第二傾斜板）
第二傾斜板４ｂの調節部４ｄは、後述のロールカバー７ｃの上部に設け、ロールカバー７ｃを外さなくても、機体の前面側から傾斜調節可能に構成する。
【００２７】
また、第二傾斜板４ｂは、その調節機構の拡大図を図３に示すように、傾斜板とピン４ｅが通るためのステー４ｆを取付け、ステー４ｆを長穴４ｇとし、長穴４ｇにはナット４ｎを有するプレート４ｈを連結してピン４ｅを通し、漏斗台の側面にレバーシブルモータ４ｋを設置してねじ軸４ｍを取付け、このねじ軸４ｍとナット４ｎを螺合することにより、第二傾斜板４ｂの角度が籾摺り作業中に調節制御できることから、品種の違いや籾の大きさ、必要な能率に合わせて、長粒種の脱ぷ性向上と砕米抑制が可能となる。
【００２８】
第二傾斜板４ｂと掻込みロール５の隙間の最小と最大を検出するリミットスイッチＳ１，Ｓ２を第二傾斜板４ｂに取り付け、ピン４ｅがリミットを検出する範囲で隙間を調節することができ、長粒種が２粒相当の隙間に調節する。
【００２９】
（掻込みロール）
掻込みロールの二面図（ａ）および第二傾斜板の三面図（ｂ）を図４に示すように、掻込みロール５と第二傾斜板４ｂの双方に溝幅ｗが３ｍｍ程度の山形溝を設け、掻込みロール５は、奥側に集中する還元米・２番口の返り穀粒に対応するために、奥側（ギヤケース側）の径を手前側直径Ｄより約６ｍｍ小さくする。
【００３０】
掻込みロール５は回転数可変とし、電動回転の場合はインバータで回転数を可変に構成してコントローラ制御し、また、ベルト伝動の場合は、変速プーリで回転数可変とすることにより、籾摺り作業状況によって掻込みロール５の回転数を変更し、作業に必要な能率に調整することができ、その結果、長粒種の脱ぷ性向上、砕米抑制が可能となるほか、品種の違いや籾の大きさ、必要な能率に対して同様の効果を有する。
【００３１】
掻込みロール５の回転数について長粒種用と短粒種用のプログラムをコントローラに組み込み、籾摺り前にコントローラで選択して長粒種の場合に短粒種より高速に設定する。このように回転速度の切換えにより、長粒種の脱ぷ性向上、砕米抑制が可能となり、品種の違いや籾の大きさ、必要な能率に対して同様の効果を有する。
【００３２】
また、掻込みロール５の始動と停止をコントローラ制御することによって籾供給停止が可能となることから、後工程の揺動選別部１ｄの揺動選別板のみの作動によって残米処理途中作業停止等により、作業性向上が可能となる。
【００３３】
籾摺機７は、間隔調節可能な平行軸による左右一対の脱ぷゴムロール７ａ，７ｂを籾の流れる方向に合わせて頭部を傾けて配置する。
【００３４】
（ボックス体）
籾摺機７と第二傾斜板４ｂと繰出しロール５とを一体の籾摺ロール用ボックス体７ｕとして箱状に構成し、この籾摺ロール用ボックス体７ｕの前面部を閉じるカバー７ｃを着脱可能に設けることで、籾摺ロール７ａ，７ｂ周りのメンテナンスが容易となる。
【００３５】
また、籾摺ロール用ボックス体７ｕと籾ホッパ２との間に第一傾斜板４ａを供給用ボックス体４ｕとして箱状に構成し、この供給用ボックス体４ｕと籾摺ロール用ボックス体７ｕをそれぞれ着脱自在にユニット構成する。
【００３６】
供給用ボックス体４ｕと籾摺ロール用ボックス体７ｕは、取り外すことにより、それぞれの上部が開放されることから、第一傾斜板４ａ、第二傾斜板４ｂ、繰出しロール５、籾摺機７を上方からメンテナンスが可能となる。
【００３７】
（籾摺運転制御）
ロール脱ぷ式で縦型構成の唐箕を有する籾摺選別機は、ジャポニカ種の場合に混合米・２番口・３番口と分離し、長粒種の場合に混合米・３番口に切替えることにより、唐箕の懐を大きくできるように構成する。
【００３８】
インディカ種の場合は、比重が軽いので、粃と籾の区別が付きにくいことから、２番口を無くして唐箕ｎ落差を大きくすることで、作業の安定性が向上してインディカ種の粃と籾の分離精度を向上することができる。
【００３９】
（頭部粗選機）
籾摺機７の頭部ゴムロールの中央部に籾を供給する構成について、頭部上方にゴミ除去用の頭部粗選機（不図示）を設けることにより、砕米発生の防止と安定脱ぷによる脱ぷ率の向上が可能となる。
【００４０】
（補助動力）
一般用の籾摺機７の頭部を利用して長粒種に対応するために、掻込みロール５の伝動部から駆動軸をギヤボックス外部に取出し、長粒種用の装備の駆動軸として連結可能に構成する。
【００４１】
例えば、頭部シャッタ下部に掻込みロールを設けて駆動し、長粒種の掻込み補助として構成することにより、作業能率を向上することができる。
【００４２】
（設定切替構成）
ロール脱ぷ式で縦型構成の唐箕を有する籾摺選別機においては、ジャポニカ種の設定のままインディカ種を処理すると作業が安定せず、ロール隙間や吸引の回転数等の各部の調整を要することから、インディカ種の設定（ロール隙間をジャポニカ種より０．４ｍｍ程度狭くし、吸引の回転数を２段階程度下げる）に切替えることにより、調整の工数を要することなく、ワンタッチ切替えが可能となる。
【００４３】
この場合、吸引ファン１３はインバータ等により、独立して回転を調整可能に構成し、さらに、ジャポニカ種（標準）→インディカ種（ロール間を狭く、吸引回転と連動して回転を下げる）→麦（ロール間を開く）→飼料米（ロール間を狭く、ロール閉出力時間を短く）のごとく、穀種切替スイッチの操作に応じて設定を順次切替えることにより、幅広い適用が可能となる。
【００４４】
（操作盤）
次に、操作盤について説明する。
操作盤４１は、横長構成の機体正面中央の摺落米風選部１ｂの上部に設け、その見取図を図５に示すように、電源表示部４１ａと運転・停止スイッチ４２ａ，４２ｂに加え、ロール間隙調節部４３、負荷表示部４４、穀種選択スイッチ４５ａ，４５ｂを配置する。
【００４５】
運転スイッチ４２ａ、停止スイッチ４２ｂは、籾摺選別機１を起動、停止する。停止スイッチ４２ｂは作業停止のほかに、緊急停止を兼ねる。
【００４６】
ロール間隙調節部４３は、ロール間隙表示部４３ａと、その両側に配置した開閉スイッチ４３ｂ，４３ｃとを備え、１回のスイッチ操作毎に所定距離、例えば、０．１ｍｍずつ、広く、または狭く、ロール間隙を開閉調節可能に構成する。
【００４７】
ロール間隙表示部４３ａは、開スイッチ４３ｂから閉スイッチ４３ｃまでの行程位置を最大から最小までの調整可能範囲と対応して段階表示可能に構成する。
また、麦の選別と玄米の再選別の場合の目安となる間隙位置に「麦」を表示し、電源を切った時に戻る間隙位置に二重丸を表示する。
【００４８】
負荷表示部４４は、主モータＭ１について、低負荷から危険域までの負荷状態を段階表示可能に構成する。ブレーカが落ちる程度の過負荷状態を「危険域」として赤色の発光表示によって警告可能に構成する。
【００４９】
穀種選択スイッチ４５ａ，４５ｂは、短粒種、長粒種の種別に対応した機器作動を設定する。
多様な穀種を取扱う場合は、操作毎に設定内容を順次切替える穀種切替スイッチを設ける。
【００５０】
（全体構成）
籾摺選別機１の全体構成について、籾摺部１ａとの関連を中心に説明すると、横長構成の機体の外観正面図と内部構成図を図６、図７に順に示すように、左側端の籾摺部１ａと、左右中央部の摺落米風選部１ｂと、籾摺りおよび選別処理後の混合米を揚穀する混合米揚穀部１ｃと、玄米を選別する揺動選別部１ｄと、機体の右側位置で仕上げ玄米を機外に取り出す玄米揚穀機１ｅとから構成される。
【００５１】
籾摺部１ａは、籾ホッパ６の籾が籾摺機７で籾摺されて摺落米移送棚８に落下供給され、振動している摺落米移送棚８により内方に移送され、摺落米風選部１ｂの下部の選別始端側に供給される。
【００５２】
摺落米風選部１ｂは、摺落米風選箱体９と、摺落米風選箱体９内に上下方向に沿うように構成されている摺落米選別風路１０と、摺落米選別風路１０の中途部下方に設けられている粃受樋１１と、摺落米選別風路１０の始端部である下側部に設けられている摺落米受樋１２と、摺落米選別風路１０の終端側上側部に配設されている吸引ファン１３と、排塵筒１４等により構成されている。
【００５３】
揺動選別型の混合米選別部１ｄは、多段の揺動選別板１５，…の板面に選別用の凹凸が形成されていて、縦方向の一側を高い供給側、他側を低い排出側とし、縦方向に直交する横方向の一方側を高い揺上側、横方向他側を低い揺下側として、揺動選別板１５の縦横２方向ともに傾斜した構成とし、揺動選別板１５，…を揺動装置（図示省略）により横方向斜め上下に往復揺動する構成である。
【００５４】
揺動選別板１５，…の上方には混合米タンク２４が配設されていて、摺落米受樋１２に風選された混合米が混合米揚穀機１ｅにより揚穀され混合米タンク２４に供給される。次いで、分配供給樋１６、分配ケース１７を経由して揺動選別板１５，…に供給される。
【００５５】
揺動選別板１５，…の揺下側の側壁の排出側部分には、籾排出口を切り欠き構成し、選別籾は揺下側に取り出され、籾還元流路２９を経て籾揚穀機２７に供給される構成である。
【００５６】
揺動選別板１５，…に供給された混合米は、粒形の大小，比重の大小，摩擦係数の大小等の関係で、比重の重い小形の玄米は揺上側に偏流分布し、玄米に比較して大形で比重の軽い籾は、揺下側に偏流分布し、その中間部には分離されない籾・玄米の混合米が分布しながら選別される。そして、これらの選別穀粒は、揺動選別板１５の排出側に設けられている玄米仕切板１８及び籾仕切板１９で仕切られて取り出される。
【００５７】
取り出された仕上げ玄米は、玄米取出樋２０，玄米流路２１，玄米揚穀機５を経て機外に取り出される。また、取り出された選別混合米は混合米取出樋２２，混合米流路２３，摺落米受樋１２，混合米揚穀機１ｃ，混合米タンク２４，分配供給樋１６，分配ケース１７を経て、揺動選別板１５，…に再度供給され再選別される。
【００５８】
また、揺動選別板１５，…の揺下側に偏流分離した選別籾のうち揺下側の側壁に沿って流下したものは、籾排出口から籾還元流路２９に取り出され、また、揺下側の側壁よりも揺上側を流下したものは揺動選別板１５，…の排出側端部から籾仕切板１９により仕切られて、籾取出樋２５に取り出される。このようにして取り出された選別籾は、籾流路２６，籾揚穀機２７を経て籾摺部１ａに揚穀還元され、再度の籾摺がなされる。なお、摺落米風選部１ｂで粃受樋１１に選別された不稔粒である粃は、籾揚穀機２７に送られ、混合米選別部１ｄの選別籾と共に籾摺部１ａに揚穀還元される。
【００５９】
（構成上の要点）
上述の籾摺選別機の構成上の要点についてまとめると、次のとおりである。
【００６０】
第一に、籾ホッパ２と籾摺機７を上下に配置した籾摺部１ａと、この籾摺部１ａの後工程で籾を選別する風選部１ｂと、この風選部１ｂの後工程で玄米を選別する揺動選別部１ｄを、備え、機体の左右一側に籾摺部１ａを配置し、左右他側に揺動選別部１ｄを配置し、籾摺部１ａと揺動選別部１ｄの間に風選部１ｂを配置し、籾摺機７は、左右一対の籾摺ロール７ａ，７ｂによって構成するとともに、左右外側の籾摺ロール７ａを他側の籾摺ロール７ｂより低くして籾投入線を機体内方に傾斜して配置し、この籾投入線に沿うように籾ホッパ２から籾を案内する傾斜板４を備えることで、特にインディカ米に適応できる籾摺選別機を提供することができる。
【００６１】
第二に、傾斜板４の上部を収容する供給用ボックス体４ｕと、籾摺ロール７ａ，７ｂを収容する籾摺ロール用ボックス体７ｕが着脱自在であることから、メンテナンスを容易に実施することができる。
【００６２】
第三に、傾斜板４は、上部の第一傾斜板４ａと下部の第二傾斜板４ｂに分け、第一傾斜板４ａは傾斜姿勢を固定し、第二傾斜板４ｂは上端部を支点４ｃとして傾斜姿勢を調節可能に構成し、第一傾斜板４ａを箱状の供給用ボックス体４ｕ内に設け、第二傾斜板４ｂと籾摺機７を箱状の籾摺ロール用ボックス体７ｕ内に設けることにより、供給用ボックス体４ｕと籾摺ロール用ボックス体７ｕとの合理的なブロック組み立てによって第一傾斜板４ａと第二傾斜板４ｂとの連係構成が可能となる。
【符号の説明】
【００６３】
１      籾摺選別機
１ａ    籾摺部（籾摺り設備）
１ｂ    風選部
１ｄ    揺動選別部
２      籾ホッパ
４      傾斜板
４ａ    第一傾斜板
４ｂ    第二傾斜板
４ｃ    支点
４ｕ    供給用ボックス体
７      籾摺機
７ａ    籾摺ロール
７ｂ    籾摺ロール
７ｕ    籾摺ロール用ボックス体
【図１】
2019042722.tif 000003
【図２】
2019042722.tif 000004
【図３】
2019042722.tif 000005
【図４】
2019042722.tif 000006
【図５】
2019042722.tif 000007
【図６】
2019042722.tif 000008
【図７】
2019042722.tif 000009